(57)【特許請求の範囲】
【請求項１】
発光素子と、前記発光素子に並列に接続された容量性素子と、を有する発光モジュールと、
第１の電源から電力を供給され前記発光素子を点灯させる第１の点灯回路と、第２の電源から電力を供給され前記発光素子を点灯させる第２の点灯回路と、前記第１の点灯回路および前記第２の点灯回路のそれぞれの出力に接続され前記第１の点灯回路及び前記第２の点灯回路のいずれかを選択して前記発光素子を点灯させる制御回路と、前記制御回路と前記発光モジュールとの間に接続され前記容量性素子から前記第１の点灯回路の方向に流れる電流を遮断する逆流防止回路と、前記逆流防止回路と前記発光モジュールとを電気的に接続して前記発光モジュールに電力を供給する端子と、を含む電源回路と、
を備え、
前記発光素子および前記容量性素子は、前記端子を介して前記電源回路に接続され、
前記制御回路は、前記第１の点灯回路の出力が規定値以上のとき前記第１の点灯回路を選択し、前記第１の点灯回路の出力が前記規定値よりも低下したとき前記第２の点灯回路を選択する照明装置。
【請求項２】
前記容量性素子と前記発光素子との間の配線は、前記容量性素子と前記端子との間の配線よりも短い請求項１記載の照明装置。
【請求項３】
前記逆流防止回路は、ダイオードを含む請求項１または２に記載の照明装置。
【請求項４】
前記逆流防止回路は、前記容量性素子に充電された電荷を放電させる放電回路を含む請求項１〜３のいずれか１つに記載の照明装置。
【発明の詳細な説明】
【技術分野】
【０００１】
本発明の実施形態は、照明装置に関する。
【背景技術】
【０００２】
近年、照明装置において、照明光源は白熱電球や蛍光灯から省エネルギー・長寿命の光源、例えば発光ダイオード（Light-emitting diode：ＬＥＤ）への置き換えが進んでいる。また、例えば、ＥＬ（Electro-Luminescence）や有機発光ダイオード（Organic light-emitting diode：ＯＬＥＤ）など新たな照明光源も開発されている。これらの発光素子にコンデンサなどの容量性素子を接続して、ちらつきなく安定に点灯させる照明装置が知られている。このような照明装置においては、例えば非常灯などのように電源が切替わったときに、コンデンサから電源側に電流が逆流し、電源回路を誤動作させる可能性がある。
【先行技術文献】
【特許文献】
【０００３】
【特許文献１】特開２００７−２３４４１４号公報
【発明の概要】
【発明が解決しようとする課題】
【０００４】
実施形態の照明装置は、負荷として容量性素子が接続された場合にも誤動作しない照明装置を提供することを目的とする。
【課題を解決するための手段】
【０００５】
実施形態の照明装置は、発光素子と、前記発光素子に並列に接続された容量性素子と、を有する発光モジュールと、第１の電源から電力を供給され前記発光素子を点灯させる第１の点灯回路と、第２の電源から電力を供給され前記発光素子を点灯させる第２の点灯回路と、前記第１の点灯回路および前記第２の点灯回路のそれぞれの出力に接続され前記第１の点灯回路及び前記第２の点灯回路のいずれかを選択して前記発光素子を点灯させる制御回路と、前記制御回路と前記発光モジュールとの間に接続され前記容量性素子から前記第１の点灯回路の方向に流れる電流を遮断する逆流防止回路と、前記逆流防止回路と前記発光モジュールとを電気的に接続して前記発光モジュールに電力を供給する端子と、を含む電源回路と、を備える。前記発光素子および前記容量性素子は、前記端子を介して前記電源回路に接続される。前記制御回路は、前記第１の点灯回路の出力が規定値以上のとき前記第１の点灯回路を選択し、前記第１の点灯回路の出力が前記規定値よりも低下したとき前記第２の点灯回路を選択する。
【発明の効果】
【０００６】
本発明の実施形態によれば、負荷として容量性素子が接続された場合にも誤動作しない照明装置が提供される。
【図面の簡単な説明】
【０００７】
【図１】第１の実施形態に係る電源回路を含む照明装置を例示する回路図である。
【図２】第２の実施形態に係る電源回路を含む照明装置を例示する回路図である。
【図３】第３の実施形態に係る電源回路を含む照明装置を例示する回路図である。
【図４】第４の実施形態に係る電源回路を含む照明装置を例示する回路図である。
【発明を実施するための形態】
【０００８】
以下、実施形態について図面を参照して詳細に説明する。なお、本願明細書と各図において、既出の図に関して前述したものと同様の要素には同一の符号を付して詳細な説明は適宜省略する。
【０００９】
（第１の実施形態）
図１は、第１の実施形態に係る電源回路を含む照明装置を例示する回路図である。
図１に表したように、照明装置１は、発光モジュール２と、発光モジュール２を点灯させる電源回路３と、を備えている。
【００１０】
発光モジュール２は、発光素子４と、発光素子４に並列に接続された容量性素子５と、を有する。発光素子４は、例えば、ＬＥＤで構成され、電源回路３から電力を供給されて点灯する。容量性素子５は、例えばコンデンサであり、発光素子４の近傍に設けられる。すなわち、容量性素子５は、例えば電源回路３よりも発光素子４に近接して設けられる。容量性素子５は、電源回路３などからのノイズを除去しまた電圧の変動を抑制して、ちらつきを防止する。
【００１１】
電源回路３は、第１の電源６から供給される電力を変換して、発光モジュール２に供給する。第１の電源６は、例えば商用電源など交流電源であり、例えば二次電池などの直流電源である。
電源回路３は、第１の電源６から供給される電力を変換して出力する第１の点灯回路７と、第１の点灯回路７と前記発光モジュール２との間に接続された逆流防止回路８と、を有する。
【００１２】
第１の点灯回路７は、例えばＤＣ−ＤＣコンバータなどのスイッチング電源で構成され、第１の電源６の電源電圧、電源電流を発光素子４に適した電圧及び電流に変換する。
逆流防止回路８は、第１の点灯回路７から発光モジュール２の方向を順方向として接続されたダイオードであり、発光モジュール２から第１の点灯回路７の方向への電流を遮断する。
【００１３】
第１の電源６から電力が供給されて、第１の点灯回路７が発光モジュール２を点灯させている場合、容量性素子５は、発光素子４の順方向電圧に充電されている。そのため、例えば第１の電源６の瞬断などにより第１の点灯回路７に電力が供給されなくなると、第１の点灯回路７の出力は低下し、発光モジュール２側から高電圧が印加された状態になる。
【００１４】
このとき、例えば逆流防止回路８がない場合は、容量性素子５から第１の点灯回路７の方向に電流が流れて、第１の点灯回路７が誤動作し、さらに破損する可能性がある。
これに対して、本実施形態においては、逆流防止回路８が、容量性素子５から第１の点灯回路７の方向への電流を遮断しているため、第１の点灯回路７が誤動作することはなく、また破損することもない。
【００１５】
（第２の実施形態）
図２は、第２の実施形態に係る電源回路を含む照明装置を例示する回路図である。
第２の実施形態の照明装置１ａは、第１の実施形態の照明装置１と比較して、電源回路３の構成が異なる。すなわち、照明装置１ａは、電源回路３に第２の点灯回路１０及び制御回路１１を追加した電源回路３ａを有する。これ以外の照明装置１ａの構成については、照明装置１の構成と同様である。
【００１６】
第２の点灯回路１０は、例えばＤＣ−ＤＣコンバータなどのスイッチング電源で構成され、第２の電源９の電源電圧、電源電流を発光素子４に適した電圧及び電流に変換する。第２の電源９は、例えば商用電源など交流電源であり、例えば二次電池などの直流電源である。なお、第１の電源６と第２の電源９とは別系統の電源であり、例えば一方の電源は通常動作用電源、他方の電源は非常時用のバックアップ電源とすることができる。
【００１７】
制御回路１１は、第１の点灯回路７及び第２の点灯回路１０のいずれかを選択して逆流防止回路８を介して発光素子４を点灯させる。制御回路１１は、例えばリレーであり、第１の点灯回路７の出力が規定値以上のとき第１の点灯回路７を選択して、第１の点灯回路７を発光モジュール２に電気的に接続する。また、制御回路１１は、第１の点灯回路７の出力が規定値よりも低下したとき第２の点灯回路１０を選択して、第２の点灯回路１０を発光モジュール２に電気的に接続する。ここで、規定値とは、発光素子４を点灯させるために必要な電圧、電流、または電力である。例えば、第１の電源６及び第１の点灯回路７の少なくともいずれかの異常により、第１の点灯回路７の出力が規定値よりも低下したときは、第２の点灯回路１０の出力を選択して発光素子４を点灯させる。
【００１８】
本実施形態においては、発光モジュール２に供給する電源として、別系統の第１の電源６と第２の電源９とを切替えることができるため、例えば非常灯として用いた場合は、通常点灯と非常点灯とを一つの発光モジュール２で行うことができる。
【００１９】
また、本実施形態においては、制御回路１１により選択された第１の点灯回路７または第２の点灯回路１０は、逆流防止回路８を介して発光モジュール２を点灯させるため、容量性素子５から制御回路１１の方向への電流は遮断させる。例えば、制御回路１１が第２の点灯回路１０から第１の点灯回路７に選択を切り替えたとき、または第１の点灯回路７から第２の点灯回路１０に選択を切り替えたとき、容量性素子５から第１の点灯回路７及び第２の点灯回路１０の方向への電流は遮断される。その結果、第１の点灯回路７及び第２の点灯回路１０が誤動作することはなく、また破損することもない。
本実施形態の上記以外の効果は、第１の実施形態の効果と同様である。
【００２０】
（第３の実施形態）
図３は、第３の実施形態に係る電源回路を含む照明装置を例示する回路図である。
第３の実施形態の照明装置１ｂは、第２の実施形態の照明装置１ａと比較して、電源回路３ａの構成が異なる。すなわち、照明装置１ｂは、電源回路３ａにおける逆流防止回路８を逆流防止回路８ａに置き換えた電源回路３ｂを有する。これ以外の照明装置１ｂの構成については、照明装置１ａと同様である。
【００２１】
逆流防止回路８ａは、放電抵抗１２と、スイッチ１３とを有する。放電抵抗１２は、スイッチ１３を介して発光モジュール２に接続される。すなわち、放電抵抗１２とスイッチ１３とは、発光素子４及び容量性素子５の両端に直列に接続される。スイッチ１３は、制御回路１１によりオンまたはオフに制御される。制御回路１１は、第１の点灯回路７と第２の点灯回路１０との間の選択を切り替える際には、スイッチ１３をオンさせて容量性素子５の電荷を放電させる。その後、スイッチ１３をオフさせて放電抵抗１２を切り離してから、第１の点灯回路７と第２の点灯回路１０との間の選択を切り替えて、発光素子４を点灯させる。
【００２２】
本実施形態においては、第１の点灯回路７から第２の点灯回路１０に、または第２の点灯回路１０から第１の点灯回路７に選択が切り替わったときには、容量性素子５の電荷は放電されている。その結果、容量性素子５から第１の点灯回路７及び第２の点灯回路１０のいずれの方向へも電流が逆流しないため、第１の点灯回路７及び第２の点灯回路１０が誤動作することはなく、また破損することもない。
【００２３】
本実施形態の上記以外の効果は、第２の実施形態の効果と同様である。
なお、本実施形態における逆流防止回路８ａは、第２の実施形態における逆流防止回路８と同様に、制御回路１１と発光モジュール２との間に接続されたダイオードを有してもよい。
【００２４】
（第４の実施形態）
図４は、第４の実施形態に係る電源回路を含む照明装置を例示する回路図である。
第４の実施形態の照明装置１ｃは、第２の実施形態の照明装置１ａと比較して、電源回路３ａの構成が異なる。すなわち、照明装置１ｃは、電源回路３ａに充電回路１４が追加された電源回路３ｃを有し、第２の電源９ａとして二次電池が接続される。照明装置１ｃのこれ以外の構成については、照明装置１ａの構成と同様である。
【００２５】
充電回路１４は、第１の電源６から供給される電力で第２の電源９ａを充電する。制御回路１１は、第１の点灯回路７を選択するときは充電回路１４を動作させて第２の電源９ａを充電し、第２の点灯回路１０を選択するときは充電回路１４の動作を停止させる。第１の電源６は、例えば商用電源など交流電源であり、通常動作用電源である。また、第２の電源９ａは、例えば二次電池などの直流電源であり、非常時用のバックアップ電源である。
【００２６】
本実施形態においては、通常動作時に第１の電源６から供給される電力で第２の電源９ａを充電するため、第２の電源９ａの電源電圧を規定値以上に維持することができ、例えば非常時においても確実に点灯させることができる。
また、本実施形態においては、充電回路１４を介して第１の電源６と第２の電源９ａとが接続されるが、容量性素子５から制御回路１１の方向への電流は遮断されている。その結果、容量性素子５から第１の点灯回路７及び第２の点灯回路１０のいずれの方向へも電流が逆流しないため、第１の電源６及び第２の電源９ａ側に電流が逆流することもない。
本実施形態の上記以外の効果は、第２の実施形態の効果と同様である。
【００２７】
以上、具体例を参照しつつ実施形態について説明したが、それらに限定されるものではなく、種々の変形が可能である。
【００２８】
例えば、発光素子４は、ＬＥＤに限らず、ＯＬＥＤなどでもよく、発光モジュール２には、所望の光出力に応じて複数個の発光素子４が直列又は並列に接続されていてもよい。また、複数の発光素子４を用いる場合は、容量性素子５は、各発光素子４に並列に接続することができる。さらにまた、直列に接続された複数の発光素子４の両端に容量性素子５を接続してもよい。
【００２９】
また、例えば、逆流防止回路８、８ａは、急激な電流変化を抑制する誘導性素子、例えばインダクタを有してもよい。
また、例えば、照明装置１、１ａ、１ｂ、１ｃにおいて、発光モジュール２は取り外し可能に設けられてもよい。その際、電源回路３、３ａ、３ｂ、３ｃと発光モジュール２との間に接続端子が設けられる。具体的には、電源回路３、３ａ、３ｂ、３ｃに電源側端子が設けられ、発光モジュール２側に光源側端子が設けられる。
また、逆流防止回路８、８ａは、発光モジュール２に設けられてもよい。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１、１ａ、１ｂ、１ｃ…照明装置、  ２…発光モジュール、  ３、３ａ、３ｂ、３ｃ…電源回路、  ４…発光素子、  ５…容量性素子、  ６…第１の電源、  ７…第１の点灯回路、  ８、８ａ…逆流防止回路、  ９、９ａ…第２の電源、  １０…第２の点灯回路、  １１…制御回路、  １２…放電抵抗、  １３…スイッチ、  １４…充電回路
【図１】
0005811505.tif 000002
【図２】
0005811505.tif 000003
【図３】
0005811505.tif 000004
【図４】
0005811505.tif 000005